(57)【要約】【課題】ペン先部の使用角度を調整することができるタッチペンを提供する。【解決手段】本発明のタッチペンは、中空のスリーブと、一端に入力部が形成され、他端が前記スリーブ内に回転可能に装着されるペン先部と、前記スリーブ内に収納されて前記ペン先部を弾性的に当止する弾性部材と、を備えてなる。前記ペン先部が前記スリーブに対して回転すると、前記弾性部材は、圧縮されて前記ペン先部を元の位置に復帰させる弾性力を蓄積する。【選択図】図５
2011233137.tif 000002
【特許請求の範囲】
【請求項１】
中空のスリーブと、
一端に入力部が形成され、他端が前記スリーブ内に回転可能に装着されるペン先部と、
前記スリーブ内に収納されて前記ペン先部を弾性的に当止する弾性部材と、
を備えてなるタッチペンであって、
前記ペン先部が前記スリーブに対して回転すると、前記弾性部材は、圧縮されて前記ペン先部を元の位置に復帰させる弾性力を蓄積することを特徴とするタッチペン。
【請求項２】
前記タッチペンは、前記スリーブ内に固定される取付部をさらに備えることを特徴とする請求項１に記載のタッチペン。
【請求項３】
前記取付部は、２つの端部開口を有し、前記取付部の前記ペン先部に近接する前記端部開口には、前記ペン先部が傾斜する時の回転空間を提供する回転許容開口が設けられており、前記回転許容開口は、前記端部開口と連通することを特徴とする請求項２に記載のタッチペン。
【請求項４】
前記ペン先部の両端の間には、収容凹溝が設けられており、前記弾性部材は、一端が前記収容凹溝の底壁に当止するように前記収容凹溝内に部分的に収納されることを特徴とする請求項１に記載のタッチペン。
【請求項５】
前記タッチペンは、１つの固定ピンをさらに含み、前記収容凹溝の底壁には、貫通部が設けられており、
前記固定ピンは、前記貫通部を貫いて前記スリーブに固定されることを特徴とする請求項４に記載のタッチペン。
【発明の詳細な説明】
【技術分野】
【０００１】
本発明は、タッチペンに関し、特に携帯式電子装置のタッチパネルに用いられるタッチペンに関するものである。
【背景技術】
【０００２】
現在市販されている携帯電話、個人用携帯情報端末（ＰＤＡ）及びパソコン等の電子装置の殆んどは、タッチパネルを備えている。これらの電子装置は、一般的にタッチペンを入力手段とする。
【発明の概要】
【発明が解決しようとする課題】
【０００３】
しかし、従来のタッチペンにおいて、ペン先部とスリーブとは互いに回転せずに連結されるため、ユーザーの好みによってタッチペンの使用角度を調整することできないという欠点がある。
【０００４】
本発明は、上記の問題点に鑑みてなされたものであり、ペン先部の使用角度を調整することができるタッチペンを提供することを目的とする。
【課題を解決するための手段】
【０００５】
前記課題を解決するために、本発明に係るタッチペンは、中空のスリーブと、一端に入力部が形成され、他端が前記スリーブ内に回転可能に装着されるペン先部と、前記スリーブ内に収納されて前記ペン先部を弾性的に当止する弾性部材と、を備える。前記ペン先部が前記スリーブに対して回転すると、前記弾性部材は、圧縮されて前記ペン先部を元の位置に復帰させる弾性力を蓄積する。
【発明の効果】
【０００６】
本発明に係るタッチペンにおいて、ユーザーの入力習慣及び入力力度に基づいて、ペン先部とタッチパネルとの傾斜角度が自然に調整されるので、入力操作が一層スムーズになる。即ち、前記タッチペンを使用する場合、ペン先部が押圧されてスリーブに対して回転しながら弾性部材を圧縮して、前記弾性部材に弾性力を蓄積させる。使用終了後、前記ペン先部は、前記弾性部材の弾性力により元に位置に復帰する。
【図面の簡単な説明】
【０００７】
【図１】本発明の実施形態に係るタッチペンの分解図である。
【図２】図１に示したタッチペンのペン先部の拡大図である。
【図３】図１に示したタッチペンが一体に組み立てられた後の立体斜視図である。
【図４】図３に示したＩＶ−ＩＶ線に沿ったタッチペンの局部断面図である。
【図５】図４に示したタッチペンの使用状態を示す図である。
【発明を実施するための形態】
【０００８】
図１に示したように、本発明に係るタッチペン１００は、スリーブ１０と、取付部２０と、ペン先部３０と、弾性部材４０と、回転軸５０と、固定ピン６０と、を備える。前記ペン先部３０の一端は、前記回転軸５０を介して前記取付部２０に回転可能に装着される。前記弾性部材４０は、前記固定ピン６０を取り囲んで設置され、前記固定ピン６０を介して前記ペン先部３０に固定される。前記弾性部材４０の両端は、それぞれ前記スリーブ１０及び前記ペン先部３０に当止する。
【０００９】
前記スリーブ１０は、一端が開口し、且つ他端が閉鎖されている中空の筒状体である。前記スリーブ１０は、筒壁１２及び開口１４を含み、前記筒壁１２における前記開口１４に近い箇所には、前記回転軸５０を装着するための２つの固定穴１２２が対称的に設けられている。
【００１０】
前記取付部２０は、両端が開口した筒状体であり、対向する２つの第一側壁２２と、対向する２つの第二側壁２４と、第一端部開口２６及び第二端部開口（標示する符号なし）と、を備える。１つの前記第一側壁２２には、前記第一端部開口２６と連通する回転許容開口２２２が設けられている。前記回転許容開口２２２は、前記ペン先部３０が傾斜する時に必要する回転空間を提供する。他の１つの第一側壁２２の前記回転許容開口２２２に対応する箇所には、位置決め穴２２４が設けられている。前記固定ピン６０は、前記位置決め穴２２４を介して前記第一側壁２２を貫通する。２つの前記第二側壁２４の前記第二端部開口に近接する箇所には、それぞれ１つの軸穴２４２が設けられている。前記２つの軸穴２４２は、同軸線上に設けられ、前記回転軸５０を装着するために用いられる。
【００１１】
図２に示したように、前記ペン先部３０は、ペン軸部３２及び前記ペン軸部３２の一端に形成される入力部３４を含む。前記入力部３４は、偏平な円盤であり、前記ペン軸部３２と鈍角を成して連結される。前記タッチペン１００を利用して電子装置のタッチパネルに入力操作をする際に、前記入力部３４と前記タッチパネルの表面導電層との間には、電場が形成される。前記ペン軸部３２の前記入力部３４から離れる一端には、前記回転軸５０を装着するための貫通穴３２２が設けられている。前記ペン軸部３２の略中央部には、収容凹溝３２４が設けられている。前記弾性部材４０は、前記収容凹溝３２４内に部分的に収納され且つ前記収容凹溝３２４の底壁３２４２に当止する。前記底壁３２４２には、略楕円形の貫通部３２４４が設けられている。前記貫通部３２４４の幅が前記固定ピン６０の外径に該当するので、前記固定ピン６０を前記貫通部３２４４に貫通する場合、前記弾性部材４０は、前記底壁３２４２に当止する。本実施形態において、前記弾性部材４０は、螺旋状の圧縮スプリングであり、前記ペン先部３０に初期位置へ復帰させる弾性力を提供する。
【００１２】
図１、図３及び図４に示したように、前記タッチペン１００を組み立てる場合、まず、前記ペン先部３０の貫通穴３２２を有する一端を前記第一端部開口２６を介して前記取付部２０内に装入して、前記貫通穴３２２と前記軸穴２４２とを同軸線上に位置させた後、前記軸穴２４２及び前記貫通穴３２２に前記回転軸５０を挿入して、前記ペン先部３０を前記取付部２０に回転可能に装着する。次に、前記弾性部材４０を前記ペン先部３０の収容凹溝３２４に据え置き、前記弾性部材４０の一端を前記収容凹溝３２４の底壁３２４２に当接させる。その後、前記弾性部材４０を下方へ押圧してそれを前記収容凹溝３２４内に完全に収納させてから、前記弾性部材４０を前記取付部２０及び前記ペン先部３０と一緒に前記スリーブ１０の開口１４に挿入して、前記スリーブ１０の固定穴１２２と前記弾性部材の中空部及び前記位置決め穴２２４とを同軸線上に位置させる。この際、前記弾性部材４０の両端は、それぞれ前記底壁３２４２及び前記スリーブ１０の筒壁１２に当止する。最後に、前記固定ピン６０を前記固定穴１２２、前記弾性部材の中空部及び前記位置決め穴２２４に挿入して、前記固定ピン６０の両端をそれぞれ前記スリーブ１０の２つの固定穴１２２に係止する。これにより、前記タッチペン１００の組立てを終了する。
【００１３】
図５に示したように、前記タッチペン１００を使用する場合、前記ペン先部３０は、外力により前記回転軸５０を中心として回転しながら、前記スリーブ１０に対して一定の角度に傾斜する。同時に、前記ペン先部３０の底壁３２４２は、前記弾性部材４０を圧縮して、前記弾性部材４０に弾性力を蓄積させる。前記ペン先部３０に印加される外力の大小が異なれば、前記ペン先部３０の傾斜角度も異なる。外力を除去すると、前記弾性部材４０は、弾性復帰し、前記回転軸５０を中心として前記ペン先部３０を回転させて、前記ペン先部３０を元の位置に復帰させる。
【００１４】
また、前記取付部２０は、主に前記ペン先部３０を位置決めする役割を果す。前記取付部２０を省略して、前記ペン先部３０を前記スリーブ１０に直接に装着してもよい。それ相応に、前記位置決めピン５０も省略することができる。
【００１５】
また、前記スリーブ１０、前記取付部２０及び前記ペン先部３０を導電性材質から製作すると、前記ペン先部３０及び前記スリーブ１０は、電気的に導通する。
【００１６】
本発明によれば、前記タッチペン１００において、ユーザーの入力習慣及び入力力度に基づいて、ペン先部３０とタッチパネルとの傾斜角度が自然に調整されるので、入力操作がよりスムーズになる。即ち、前記タッチペン１００を使用する場合、前記ペン先部３０が、押圧されてスリーブ１０に対して回転しながら前記弾性部材４０を圧縮して、前記弾性部材４０に弾性力を蓄積させる。使用終了後、前記ペン先部３０は、前記弾性部材４０の弾性力により元の位置に復帰する。
【００１７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１８】
１０        スリーブ
１２        筒壁
１４        開口
２０        取付部
２２        第一側壁
２４        第二側壁
２６        第一端部開口
３０        ペン先部
３２        ペン軸部
３４        入力部
４０        弾性部材
５０        回転軸
６０        固定ピン
１００      タッチペン
１２２      固定穴
２２２      回転許容開口
２２４      位置決め穴
２４２      軸穴
３２２      貫通穴
３２４      収容凹溝
３２４２    底壁
３２４４    貫通部
【図１】
2011233137.tif 000003
【図２】
2011233137.tif 000004
【図３】
2011233137.tif 000005
【図４】
2011233137.tif 000006
【図５】
2011233137.tif 000007